(57)【要約】【課題】マンションなどの共同住宅の各住戸に設けた空間部を有効に利用することにより配管の施工性を向上すると共に、試験時における試験弁の開閉を容易に行うことのできるスプリンクラ消火設備を提供する。【解決手段】複数階からなり、一つの階に複数の住戸が設けられた共同住宅のスプリンクラ消火設備において、上下の階の住戸にわたる縦給水管１４を設け、各住戸に縦給水管１４から分岐した住戸配管１６を設けてこの住戸配管１６にスプリンクラヘッド２０を接続した。また、縦給水管１４を生活用の給排水管が配管されたパイプスペース５内に収容した。【選択図】　　　　図１
2004041459.tif 000002
【特許請求の範囲】
【請求項１】
複数階からなり、一つの階に複数の住戸が設けられた共同住宅のスプリンクラ消火設備において、
上下の階の住戸にわたる縦給水管を設け、各住戸に前記縦給水管から分岐した住戸配管を設けて該住戸配管にスプリンクラヘッドを接続したことを特徴とするスプリンクラ消火設備。
【請求項２】
複数階からなり、一つの階に複数の住戸が設けられた共同住宅のスプリンクラ消火設備において、
ある特定の住戸と該住戸の直上又は直下の住戸にわたる縦給水管を設け、各住戸に前記縦給水管から分岐した住戸配管を設けて該住戸配管にスプリンクラヘッドを接続し、
前記縦給水管を生活用の給排水管が配管されたパイプスペース内に設置したことを特徴とするスプリンクラ消火設備。
【請求項３】
前記縦給水管の下層側に流水検知装置を設けたことを特徴とする請求項１又は２記載のスプリンクラ消火設備。
【請求項４】
前記縦給水管は、複数の住戸にわたって設けられ、その最上階部分に常時は閉じた試験弁を設け、該試験弁を排水管に接続したことを特徴とする請求項１，２又は３のいずれかに記載のスプリンクラ消火設備。
【発明の詳細な説明】
【０００１】
【発明の属する技術分野】
本発明は、マンションなどの共同住宅に設置されるスプリンクラ消火設備に関するものである。
【０００２】
【従来の技術】
従来のマンションなどの共同住宅におけるスプリンクラ消火設備は、一般に、一端が地下等に設けた貯水槽及び送水ポンプからなる加圧送水装置に接続された主給水管を建築物の上下方向に延長して設置し、この主給水管に各階ごとに設けた横引き管を接続する。そして、この横引き管に各住戸ごとに設けた住戸配管を流水検知装置を介して接続し、住戸配管に直接又はヘッダを介して枝管を接続し、この枝管にスプリンクラヘッドを接続していた。
【０００３】
【発明が解決しようとする課題】
このようなスプリンクラ消火設備においては、横引き配管、住戸配管及び枝管は、通常床スラブと天井との間の空間に、冷暖房のダクト、諸配線等と共に配管されるが、マンションは一般に床スラブと天井との間が狭いため、これら配管の配管作業や配管後の維持管理がきわめて面倒であった。
また、各住戸ごとに流水検知装置が設けられているため、コストアップになっていた。
【０００４】
さらに、このようなスプリンクラ消火設備においては、主給水管とは別に建築物の上下方向に設けた排水管と、各階に設けた横引き配管との間に常閉の試験弁を設け、試験の際にこの試験弁を開放して横引き配管及びその下流側に充水された消火用水を排水して、スプリンクラヘッドが動作した場合と同様の状態にし、流水検知装置を動作させて試験を行っている。このような試験にあたっては、試験者は各階を移動して試験弁を開放したり閉止したりしなければならないので、きわめて面倒であった。
【０００５】
本発明は、上記の課題を解決するためになされたもので、マンションなどの共同住宅の各住戸に設けた空間部を有効に利用することにより配管の施工性を向上すると共に、試験時における試験弁の開閉を容易に行うことのできるスプリンクラ消火設備を提供することを目的としたものである。
【０００６】
【課題を解決するための手段】
（１）本発明は、複数階からなり、一つの階に複数の住戸が設けられた共同住宅のスプリンクラ消火設備において、上下の階の住戸にわたる縦給水管を設け、各住戸に前記縦給水管から分岐した住戸配管を設けて該住戸配管にスプリンクラヘッドを接続したものである。
【０００７】
（２）また、本発明は、複数階からなり、一つの階に複数の住戸が設けられた共同住宅のスプリンクラ消火設備において、ある特定の住戸と該住戸の直上又は直下の住戸にわたる縦給水管を設け、各住戸に前記縦給水管から分岐した住戸配管を設けて該住戸配管にスプリンクラヘッドを接続し、前記縦給水管を生活用の給排水管が配管されたパイプスペース内に設置したものである。
【０００８】
（３）上記（１）又は（２）の縦給水管の下層側に流水検知装置を設けた。
（４）上記（１），（２）又は（３）のいずれかの縦給水管は、複数の住戸にわたって設けられ、その最上階部分に常時は閉じた試験弁を設け、該試験弁を排水管に接続した。
【０００９】
【発明の実施の形態】
図１は本発明の一実施の形態に係るスプリンクラ消火設備の模式的説明図、図２は図１の下階と上階の一部拡大図である。
図において、１は複数の階からなり、一つの階に複数の住戸が設けられたマンション等の共同住宅の建築物、２はその外壁、３は上下の階を仕切る床スラブである。Ａ，Ｂ，Ｃ，Ｄは上下方向の住戸単位を示すもので、マンションにおいては、一般に、同じ住戸単位は上下階とも同じ間取りで同じ床面積の場合が多い。
４は各住戸を仕切る仕切り壁である（なお、住戸単位Ｂ，Ｃの間の仕切り壁は図示していない）。
【００１０】
５ａ，５ｂ，５ｃは各住戸単位Ａ，Ｂ，Ｃ，Ｄごとに隔壁６によって仕切られ、上下階の住戸にわたって連続して設けられて、上下方向に生活用の給排水管等が設置されたパイプスペース（以下、単に５と記すことがある）で、住戸単位Ｂ，Ｃのパイプスペース５ｂは両住戸単位Ｂ，Ｃに共通の場合が示してある。なお、本発明においては、複数階ごとに防護区画を形成しており、図１は高層マンションの途中の階（例えば、１１階から１８階まで）を示したもので、以下の説明では、１１階から１４階までを防護区画Ｉ、１５階から１８階までを防護区画ＩＩという。
【００１１】
１１は一端が送水ポンプ、貯水槽等からなる加圧送水設備（図示せず）に接続され、外壁２と隔壁６との間に上下方向に設置された縦（竪）本管で、上部の防護区画ＩＩの最下層（図には１５階の場合が示してある）には、ブースタポンプ１２が接続されている。
１３ａは縦本管１１から分岐して防護区画Ｉの最下層（１１階）の住戸単位Ａ，Ｂ，Ｃ，Ｄの床スラブ３と床との間に設置された横給水管、１３ｂは縦本管１１から分岐し又はブースタポンプ１２に接続され、防護区画ＩＩの最下層（１５階）の住戸単位Ａ，Ｂ，Ｃ，Ｄの床スラブ３と床との間に設置された横給水管である（以下の説明では、横給水管１３ａ，１３ｂを単に１３と記すことがある）。
【００１２】
１４ａは一端がそれぞれ防護区画Ｉの下層側、例えば最下層に設けられた流水検知装置１５を介して横給水管１３ａに接続され、各住戸単位Ａ〜Ｄのパイプスペース５ａ〜５ｃ内に設置されて、防護区画Ｉの最上階（１４階）まで延設された縦給水管、１４ｂは一端がそれぞれ流水検知装置１５を介して横給水管１３ｂに接続され、各住戸単位Ａ〜Ｄのパイプスペース５ａ〜５ｃ内に設置されて、防護区画ＩＩの最上階（１８階）まで延設された縦給水管である。なお、図１に示すように、隣接する住戸単位（例えば、ＢとＣ）との間にパイプスペース５ｂを設けた場合は、この中に設置した縦給水管１４ａ，１４ｂ（以下、単に１４と記すことがある）を両住戸単位Ｂ，Ｃで共用してもよい。
【００１３】
１６は一端が常時開放された開閉弁１７を介して、各階ごとに縦給水管１４ａ，１４ｂに接続され、各住戸に配管された住戸配管で、他端にはそれぞれヘッダ１８が接続されている。２０は天井７に設置されたスプリンクラヘッドで、ヘッダ１８とは可撓管２１等により接続されている。なお、ヘッダ１８を省略し、スプリンクラヘッド２０を可撓管２１等を介して直接住戸配管１６に接続してもよく、あるいは住戸配管１６部分を省略し、縦給水管１４にヘッダ１８を設け、このヘッダ１８とスプリンクラヘッド２０とを開閉弁１７を介して可撓管２１で接続してもよい。２２は天井７に設置した火災感知器であるが、本発明に必須のものではない。
【００１４】
２３は一端が排水溝等（図示せず）に開口し、各パイプスペース５ａ〜５ｃ内の上下方向に設置されて、他端が最上階まで延設された排水管で、各防護区画の最上階において、常時は閉止された試験弁２４を介して縦給水管１４とそれぞれ接続されている。なお、この排水管２３は各流水検知装置１５とそれぞれ接続されているが、常時は両者は連通しておらず、必要に応じて両者間には遠隔操作弁が設けられている。
【００１５】
８は各パイプスペース５ａ〜５ｃ内に上下方向に設置された生活用の給水管、９は同じく排水管で、各階ごとに設けた分岐管８ａ，９ａがそれぞれ各住戸に配管されている。
【００１６】
２５は各住戸ごとに設けられた住宅情報盤、２６は管理人室等に設置された住棟受信機で、火災感知器２２からの火災信号は住宅情報盤２５を介して住棟受信機２６に送られ、住棟受信機２６はこの火災信号に基いて、図示しないポンプ制御盤を介して加圧送水装置の送水ポンプに駆動信号を出力する。また、各住宅情報盤２５は、自己の属する防護区画の住戸単位Ａ〜Ｄに設けられた流水検知装置１５との間で信号の授受を行う。なお、火災信号の代りに流水検知装置１５からの流水信号で、住棟受信機２６から送水ポンプに駆動信号を出力するようにしてもよく、あるいは、送水ポンプの近傍に縦本管１１内の圧力低下を検出する圧力空気槽を設け、その圧力低下信号により送水ポンプを駆動するようしてもよい。
【００１７】
次に、本発明の作用について説明する。先ず、各住戸の天井７にはスプリンクラヘッド２０のみが設置されており、火災感知器２２は設置されていない場合のシステムにおける作用について説明する。なお、この場合、流水検知装置１５の下流側には消火用水が充水されているものとする。
【００１８】
いま、例えば１１階の住戸Ａ５で火災が発生すると、その熱気流や火炎によってスプリンクラヘッド２０が動作し、放水を開始する。放水によって縦給水管１４内の消火用水が流出するため、流水検知装置１５がこれを検知して内蔵する弁を開放すると共に、流水信号を住宅情報盤２５を介して又は直接住棟受信機２６に送信する。住棟受信機２６はこの流水信号に基いて送水ポンプに駆動信号を送ってこれを駆動し、貯水槽内の水を縦給水管１４に圧送して、スプリンクラヘッド２０から放水する。
火災が鎮火したときは開閉弁１７を閉じてスプリンクラヘッド２０からの放水を停止する。そして送水ポンプを停止させる。
【００１９】
次に、各住戸の天井板７にスプリンクラヘッド２０と火災感知器２２の両者が設置されている場合のシステムの作用について説明する。なお、この場合は、流水検知装置１５には火災信号によって開放する弁を備えた予作動式流水検知装置が設けられており、その下流側は乾式、湿式どちらでもよい。
いま、例えば１１階の住戸Ａ１１に火災が発生すると、その熱気流や火炎によって火災感知器２２が動作し、その火災信号を住宅情報盤２５を介して流水検知装置１５に送り、これを開放する。ついで、スプリンクラヘッド２０が動作して消火用水を放水すると、縦給水管１４内の水が流動する。これを検知した流水検知装置１５はこれに基づく流水信号を住宅情報盤２５を介して（又は直接）住棟受信機２６に送信し、住棟受信機２６はこの流水信号を受信したときは送水ポンプに駆動信号を送ってこれを駆動する。以下の作用は、前記の場合と同様である。
【００２０】
このように、各住戸にスプリンクラヘッド２０と火災感知器２２を併設した場合は、流水検知装置１５に予作動式流水検知装置が用いられるので、火災感知器２２からの火災信号と、スプリンクラヘッド２０の動作との両者により流水検知装置１５が開放する。このため、例えば火災が発生していないのにスプリンクラヘッド２０が外力等によって破損し、消火用水を放水しても流水検知装置１５が開放されないので、スプリンクラヘッド２０から大量の水が放水されることがなく、水損を防止することができる。なお、上記の説明では、各住戸にスプリンクラヘッド２０と火災感知器２２を併設した場合を示したが、火災感知機能を有するスプリンクラヘッドを設置すれば、火災感知器２２を省略することができる。
【００２１】
次に、設備の試験にあたっては、各防護区画の最上階に設けた試験弁２４を開放し、縦給水管１４、住戸配管１６、可撓管２１内に充水された消火用水を排水管２３から排水して、スプリンクラヘッド２０が動作した場合と同様の状態を作っている。
このような場合、従来のスプリンクラ消火設備では各階ごとに末端試験弁が設けられていたため、試験者は各階に移動して試験弁を開放しなければならなかった。しかし、本発明においては、各防護区画の最上階に試験弁２４が複数設けられているため、試験にあたっては当該階に行って試験弁２４を開放するだけでよく、各階の移動が不要となるので、きわめて容易かつ短時間に試験を行うことができる。
【００２２】
ところで、従来のスプリンクラ消火設備を高層マンション等に設置する場合においては、消火用水の揚程が高いため、貯水槽の近傍に設けた主ポンプだけでは高い階に必要な圧力で消火用水を供給することができなかった。
【００２３】
そこで、高層マンション等を上下方向に貫通して設けられた主給水管の途中に、例えば１０階ごとに補助ポンプを設け、この補助ポンプにより低下した水圧を消火に必要な水圧に高めて、さらに上層の階に供給するようにしている。
そして、高層階で火災が発生し、スプリンクラヘッドが動作して開栓すると、まず、主ポンプが動作して貯水槽内の消火用水を主給水管に供給し、この消火用水が初段の補助ポンプに到達した時点で初段の補助ポンプを動作させ、ついで、この消火用水が次段の補助ポンプに到達した時点で次段の補助ポンプを動作させ、補助ポンプの空転を防止しながら開栓したスプリンクラヘッドに給水するようにしている。
本発明における縦本管１１に設けたブースタポンプ１２もこのような補助ポンプに相当するものである。
【００２４】
上記の説明では、縦本管１１を建築物１の外壁２と隔壁６の間の上下方向に設置した場合を示したが、パイプスペース５のいずれか１つの中に設置してもよい。
また、流水検知装置１５の下流側に常時消火用水を充水している湿式のスプリンクラ消火設備について説明したが、本発明は流水検知装置の下流側に常時は消火用水を充水しない乾式のスプリンクラ消火設備にも実施することができる。この場合は、火災感知器からの火災信号により流水検知装置（制御弁）を開放してその下流側に消火用水を送水すると共に送水ポンプを駆動し、スプリンクラヘッドが動作して開栓したときに消火用水を放水するようにする。
【００２５】
以上の説明から明らかなように、本発明は、スプリンクラ消火設備用の縦給水管１４を、生活用の給排水管８，９と一緒にパイプスペース５内に収容し、天井と床スラブとの間に設置する横引き配管をなくしたので、スペースを有効利用できると共に、配管作業を簡略化することができる。
【００２６】
また、火災の発生によるスプリンクラヘッドの放水により、建築物の縦方向に区画されたどの住戸単位Ａ〜Ｄで放水が行われたかを検知することができる。これにより、建築物のどの方角（例えば、東向きの住戸等）で火災が発生したかわかるので、消防署に通報して消防車を呼ぶ際に便利である。
【００２７】
さらに、本発明においては、流水検知装置１５を各防護区画の最下層において住戸単位Ａ〜Ｄごとに設けるようにしたので、従来のように各住戸ごとに流水検知装置を設ける場合に比べて、流水検知装置を大幅に減らすことができ、これによりコストを低減することができる。
【００２８】
【発明の効果】
本発明は、複数階からなり、一つの階に複数の住戸が設けられた共同住宅のスプリンクラ消火設備において、上下の階の住戸にわたる縦給水管を設け、各住戸に縦給水管から分岐した住戸配管を設けてこの住戸配管にスプリンクラヘッドを接続し、
また、上記の縦給水管を生活用の給排水管が配管されたパイプスペース内に設置するようにしたので、スペースを有効利用できると共に、配管作業を簡略化することができる。
【図面の簡単な説明】
【図１】本発明の一実施の形態に係るスプリンクラ消火設備の模式的説明図である。
【図２】図１の下階と上階の一部拡大図である。
【符号の説明】
１　建築物（マンション）、２　外壁、３　床スラブ、４　仕切り壁、５ａ〜５ｃ　パイプスペース、６　隔壁、７　天井、８　生活用の給水管、９　生活用の排水管、１１　縦本管、１２　ブースタポンプ、１３ａ，１３ｂ　横給水管、１４ａ，１４ｂ　縦給水管、１５　流水検知装置、１６　住戸配管、２０　スプリンクラヘッド、２２　火災感知器、２３　排水管、２４　試験弁、２５　住宅情報盤、２６　住棟受信機、Ａ，Ｂ，Ｃ，Ｄ　住戸単位。
【図１】
2004041459.tif 000003
【図２】
2004041459.tif 000004